(57)【要約】【課題】ラベル紙と剥離紙を剥離し易いとともに、いわゆるカス上げ動作の際に、ラベル紙がミシン目部分で破れる虞がなく、さらには印字動作にも支障をきたさない携帯プリンタ用連続ラベル用紙を提供する。【課題の解決手段】携帯プリンタ用連続ラベル用紙１は、表面を感熱印字面としたラベル紙２の裏面に粘着剤を設けるとともに、この粘着剤を被覆するようにラベル紙２よりも幅がやや広い剥離紙４を剥離可能に設けた単位ラベル用紙５を、マイクロミシン目６を介して多数連設してなり、ラベル紙２の幅方向端の少なくとも一方に、マイクロミシン目６と直交する中央縁８ａとこの中央縁８ａの両端からそれぞれラベル紙２の幅方向端に向けて互いに離反するように延びる両端縁８ｂ，８ｂを有する切り欠き部８を設けたものである。【選択図】図１
2007233242.tif 000002
【特許請求の範囲】
【請求項１】
表面を感熱印字面としたラベル紙の裏面に粘着剤を設けるとともに、前記粘着剤を被覆するように前記ラベル紙よりも幅が広い剥離紙を剥離可能に設けた単位ラベル用紙を、ミシン目を介して多数連設してなる、携帯プリンタで前記感熱印字面に印字するための連続ラベル用紙であって、前記ラベル紙の幅方向端の少なくとも一方に、前記ミシン目と直交する中央縁とこの中央縁の両端からそれぞれ前記ラベル紙の幅方向端に向けて互いに離反するように延びる両端縁を有する切り欠き部を設けたことを特徴とする携帯プリンタ用連続ラベル用紙。
【請求項２】
表面を感熱印字面としたラベル紙の裏面に粘着剤を設けるとともに、前記粘着剤を被覆するように前記ラベル紙よりも幅が広い剥離紙を剥離可能に設けた単位ラベル用紙を、ミシン目を介して多数連設してなる、携帯プリンタで前記感熱印字面に印字するための連続ラベル用紙であって、前記ラベル紙の幅方向端の一方に、この幅方向端及び前記ミシン目とともに三角形の辺を形成するスリットを設けたことを特徴とする携帯プリンタ用連続ラベル用紙。
【発明の詳細な説明】
【技術分野】
【０００１】
本発明は、携帯プリンタ用連続ラベル用紙、すなわち、携帯プリンタで印字するためにラベル紙表面が感熱印字面となった小型の連続ラベル用紙に関する。
【背景技術】
【０００２】
一般に、連続ラベル用紙は、表面を印字面としたラベル紙の裏面に粘着剤を設けるとともに、前記粘着剤を被覆するように前記ラベル紙よりも幅が広い剥離紙を剥離可能に設けた単位ラベル用紙を、ミシン目を介して多数連設してなる。そして、携帯プリンタで印字する連続ラベル用紙は、印字面積を広くとるために、前記ラベル紙をできるだけ大きく形成する一方、ラベル用紙、すなわち剥離紙の幅方向の長さは使用する携帯プリンタによって決定され、一定の大きさに限定されるので、小型になるとともに、前記ラベル紙と前記剥離紙との幅方向端における間隔は、通常のラベルに比較して狭くなる。例えば、天地方向２８ｍｍ、幅方向５８ｍｍの大きさの単位ラベル用紙（剥離紙も同一大）におけるラベル紙の幅方向を５４ｍｍ程度に設定した場合、前記ラベル紙と前記剥離紙との幅方向端における間隔は各２ｍｍ程度となる。
【特許文献１】特開平２００５−１６９８９６号公報
【発明の開示】
【発明が解決しようとする課題】
【０００３】
このため、従来の携帯プリンタで印字する小型のラベル用紙にあっては、ラベル紙と剥離紙との剥離動作をするために、指で摘む部分となるラベル紙と剥離紙との幅方向端における間隔が狭いので、剥離動作がし難いという不都合がある。この不都合は、手袋をした状態でラベル用紙を取り扱う必要がある場合に顕著となる。本発明は、この不都合を解消した携帯プリンタ用連続ラベル用紙を提供することを目的とする。
【課題を解決するための手段】
【０００４】
この目的を達成するため本発明の請求項１に係る携帯プリンタ用連続ラベル用紙は、表面を感熱印字面としたラベル紙の裏面に粘着剤を設けるとともに、前記粘着剤を被覆するように前記ラベル紙よりも幅が広い剥離紙を剥離可能に設けた単位ラベル用紙を、ミシン目を介して多数連設してなるものであって、前記ラベル紙の幅方向端の少なくとも一方に、前記ミシン目と直交する中央縁とこの中央縁の両端からそれぞれ前記ラベル紙の幅方向端に向けて互いに離反するように延びる両端縁を有する切り欠き部を設けたものである。この切り欠き部は、十分な印字面積を確保するために、大きく形成することはできないので、その形状が、三角形や四角形、あるいは半円形等の場合には、ラベル紙の幅方向両端を剥離除去する、いわゆるカス上げ作業の際に、切り欠き部のカス上げが円滑になされなかったり、ラベル紙が切り欠き部と連続するミシン目部分で破れてしまう、という新たな不都合を生じることになるが、本請求項１における切り欠き部にあっては、このような不都合は生じない。
【０００５】
また、同じく上記目的を達成するために本発明の請求項２に係る携帯プリンタ用連続ラベル用紙は、表面を感熱印字面としたラベル紙の裏面に粘着剤を設けるとともに、前記粘着剤を被覆するように前記ラベル紙よりも幅が広い剥離紙を剥離可能に設けた単位ラベル用紙を、ミシン目を介して多数連設してなるものであって、前記ラベル紙の幅方向端の一方に、この幅方向端及び前記ミシン目とともに三角形の辺を形成するスリットを設けたものである。換言すると、このスリットと前記ミシン目によって、各単位ラベル用紙におけるラベル紙の一隅部に、三角形を区画形成するものである。
【発明の効果】
【０００６】
本発明の請求項１に係る携帯プリンタ用連続ラベル用紙によれば、ラベル紙の幅方向端の少なくとも一方に、ミシン目と直交する中央縁とこの中央縁の両端からそれぞれ前記ラベル紙の幅方向端に向けて互いに離反するように延びる両端縁を有する切り欠き部を設けたので、この切り欠き部を摘んで剥離し易いとともに、いわゆるカス上げ動作の際に、ラベル紙がミシン目部分で破れる虞がなく、さらには印字動作にも支障をきたさないという効果を奏する。
【０００７】
本発明の請求項２に係る携帯プリンタ用連続ラベル用紙によれば、ラベル紙の幅方向端の一方に、この幅方向端及びミシン目とともに三角形の辺を形成するスリットを設けたので、このスリットを剥離開始端として剥離し易いとともに、印字動作にも支障をきたさないという効果を奏する。
【発明を実施するための最良の形態】
【０００８】
以下、本発明の好適な実施形態を添付図面に基づき説明する。ここにおいて、図１〜図３は第１実施形態を示し、図１は携帯プリンタ用連続ラベル用紙（以下連続ラベル用紙という。）の一部を示す平面図、図２は同じく背面図、図３は図１のＡ−Ａ線断面図であり、図４は第２の実施形態における連続ラベル用紙の一部を示す平面図である。
【０００９】
図１〜図３に示すように、連続ラベル用紙１は、ラベル紙２の裏面に公知の粘着剤３を設けるとともに、前記粘着剤３を被覆するように前記ラベル紙２よりも幅がやや広い剥離紙４をその剥離処理面で接着して剥離可能に設けてなる単位ラベル用紙５を、カットとタイが極めて細かいマイクロミシン目６を介して、多数連設してなる。前記マイクロミシン目６は、前記ラベル紙２と前記剥離紙４とに、前記ラベル紙２側から形成される。また、前記単位ラベル用紙５は、幅方向の長さが５８ｍｍ、天地方向の長さが２８ｍｍであり、これに対応する剥離紙４は同一大である一方、ラベル紙２は幅方向の長さが５４ｍｍ、天地方向の長さは同一大の２８ｍｍである。したがって、剥離紙４とラベル紙２のは幅方向各端縁の間隔は２ｍｍとなる。
【００１０】
図２に示すように、剥離紙４の表出面側には、マイクロミシン目６に沿って、幅方向いっぱいに延びる帯状のタイミングマーク７を設けている。このタイミングマーク７を携帯プリンタ（図示せず）で読み取って、印字動作を制御するものである。なお、連続ラベル用紙１は、携帯プリンタにセットされて印字される際には、図２上、下方向に移送される。
【００１１】
図１に示すように、ラベル紙２の幅方向端の一方には、マイクロミシン目６と直交する中央縁８ａと、この中央縁８ａの両端からそれぞれ前記ラベル紙２の幅方向端に向けて互いに離反するように延びる両端縁８ｂ，８ｂを有する、平面形状台形の切り欠き部８を設けている。この切り欠き部８の大きさは、台形の下底に対応する天地方向の長さが６ｍｍ、台形の上底に対応する中央縁８ａの長さが１．９４ｍｍ、台形の高さに対応する中央縁８ａとラベル２の端縁との間隔が２ｍｍである。
【００１２】
本実施形態の連続ラベル用紙１は、以上のように切り欠き部８を平面形状台形に構成したので、カス上げ作業の際に、ラベル紙２の前記切り欠き部８を含む不要な幅方向端部を円滑に捲り上げて剥離し、マイクロミシン目６と直交する中央縁８ａ部分で前記マイクロミシン目６に沿ってラベル紙２が破れることはない。そして、連続ラベル用紙１は、通常紙管にロール状に巻回した状態で保管し、このロール状の連続ラベル用紙１を、携帯プリンタ（図示せず）に所定状態でセットして、ラベル紙２の感熱印字面である表面に、所定の情報を印字することができる。この印字動作は、剥離紙４の裏面のタイミングマーク７を読み取って行うものであるが、印字内容によって、１枚の単位ラベル用紙５に対応するラベル紙２表面に印字したり、複数枚の連続する単位ラベル用紙５に対応する複数枚のラベル紙２表面にわたって印字するものである。
【００１３】
印字後の１枚あるいは複数枚連続した状態にマイクロミシン目６で分断した単位ラベル用紙５は、天地方向両端部の隅部に切り欠き部８の半分が残った状態となるので、この切り欠き部８を摘んでラベル紙２と剥離紙４とを相対的に離反して剥離することができる。この剥離動作は、半分として残った切り欠き部８の存在により、手袋をしている場合でも容易かつ確実になされる。
【００１４】
続いて、図４に基づいて第２の実施形態を説明する。本実施形態が上述した第１の実施形態と相違するのは、切り欠き部８に換えて、スリット１８を設けた点である。すなわち、連続ラベル用紙１１は、ラベル紙１２の裏面に公知の粘着剤（図示せず、図３参照）を設けるとともに、粘着剤を被覆するように前記ラベル紙１２よりも幅がやや広い剥離紙１４をその剥離処理面で接着して剥離可能に設けてなる単位ラベル用紙１５を、マイクロミシン目１６を介して、多数連設してなる。前記スリット１８は、ラベル紙１２の幅方向端の一方に、この幅方向端とマイクロミシン目１６とともに三角形の辺を形成するよう設けている。より詳細には、前記一方の幅方向端と前記マイクロミシン目１６とが直角二等辺三角形の等辺を形成し、前記スリット１８が斜辺を形成する三角形が区画形成される。
【００１５】
この第２の実施形態にあっても、カス上げ動作や印字動作を容易になすことができ、また、印字後の１枚あるいは複数枚連続した状態にマイクロミシン目１６で分断した単位ラベル用紙１５は、天地方向一端部の隅部にスリット１８が存在するので、ラベル紙１２が上にある状態でスリット１８部分を山折りし、この折り曲げ端を剥離開始端として、ラベル紙１２と剥離紙１４とを相対的に離反して容易に剥離することができる。
【００１６】
なお、本発明は、上述の各実施形態に限定されるものではなく、例えば、各単位ラベル用紙５，１５の大きさや、ラベル紙２，１２および剥離紙４，１４の大きさは、使用する携帯プリンタと、印字する情報量に合わせて決定されるものであり、上述の例に特定されない。また、切り欠き部８の各部８ａ，８ｂの大きさも、単位ラベル用紙５の大きさに合わせて適宜決定され、同様に、スリット１８の長さも単位ラベル用紙１５の天地方向の長さに合わせて適宜決定される。
【図面の簡単な説明】
【００１７】
【図１】第１実施形態における連続ラベル用紙の一部を示す平面図。
【図２】同じく背面図。
【図３】同じく図１のＡ−Ａ線断面図。
【図４】第２実施形態における連続ラベル用紙の一部を示す平面図。
【符号の説明】
【００１８】
１，１１      連続ラベル用紙
２，１２      ラベル紙
３      粘着剤
４，１４      剥離紙
５，１５      単位ラベル用紙
６，１６      マイクロミシン目
７      タイミングマーク
８      切り欠き部
８ａ      中央縁
８ｂ      両端縁
１８      スリット    
【図１】
2007233242.tif 000003
【図２】
2007233242.tif 000004
【図３】
2007233242.tif 000005
【図４】
2007233242.tif 000006